(57)【要約】【課題】本発明は、フェントン法を用いて土壌を浄化する際の、浄化効率を向上できる浄化助剤および浄化方法を提供する。【解決手段】非架橋型水溶性高分子を含有する、フェントン法による土壌浄化用の浄化助剤。フェントン法による土壌浄化方法において、非架橋型水溶性高分子を土壌に添加することを特徴とするフェントン法による土壌浄化方法。【選択図】なし【特許請求の範囲】
【請求項１】
非架橋型水溶性高分子を含有する、フェントン法による土壌浄化用の浄化助剤。
【請求項２】
フェントン法による土壌浄化方法において、非架橋型水溶性高分子を土壌に添加することを特徴とするフェントン法による土壌浄化方法。
【請求項３】
土壌に非架橋型水溶性高分子を添加して混合し、その後に該土壌に酸化剤を添加する、請求項２に記載のフェントン法による土壌浄化方法。
【請求項４】
土壌１ｍ３に対して、前記非架橋型水溶性高分子を０．１〜７ｋｇ添加する、請求項２または３に記載のフェントン法による土壌浄化方法。
【発明の詳細な説明】
【技術分野】
【０００１】
本発明は、フェントン法による土壌浄化用の浄化助剤および土壌浄化方法に関する。
【背景技術】
【０００２】
近年、工場、ガソリンスタンド、産業廃棄物処理場の跡地などにおいて、土壌の有機物による汚染が問題となることがある。ここでの有機物とは、主に生物による分解が困難な難分解性有機物をいい、農薬、防腐剤、石油及びその留分に含まれる芳香族化合物、塩素化有機化合物などが該当する。
【０００３】
有機物を含む汚染土壌を浄化する方法として、酸化剤を用いた化学酸化処理が採用されている。例えばフェントン法と呼ばれる方法は、過酸化水素などの酸化剤と、触媒である鉄イオンを供給する化合物とを、土壌に添加してヒドロキシラジカルを発生させ、このラジカルと有機物を反応させることで有機物を酸化分解して除去する方法であり、広く知られている。
【０００４】
特許文献１には、有機物によって汚染された土壌を浄化する方法であって、酸化剤と、ヒドロキシカルボン酸とを含有する薬剤を土壌に添加する方法が提案されている。
特許文献２には、土壌に鉄キレート水溶液、過酸化水素水溶液、およびｐＨ緩衝剤としてクエン酸またはクエン酸ナトリウムを添加する土壌の浄化方法が記載されている。
特許文献３には、特定のジカルボキシメチルアミン系生分解性キレート剤を、土壌中に存在する鉄イオンに対して０．５〜４．０倍のモル比で添加して、前記生分解性キレート剤と鉄イオンとの錯体を生成させる生分解性キレート剤添加工程と、前記錯体の生成後に土壌に酸化剤を添加する酸化剤添加工程とを含む、土壌の浄化方法が記載されている。
【先行技術文献】
【特許文献】
【０００５】
【特許文献１】特開２００８−２４６４１４号公報
【特許文献２】特開２０１１−０００４９７号公報
【特許文献３】国際公開第２００６／１２３５７４号
【発明の概要】
【発明が解決しようとする課題】
【０００６】
しかしながら、従来の方法は必ずしも浄化効率が十分とは言えず、汚染物質の分解率の向上が望まれる。
本発明は、フェントン法を用いて土壌を浄化する際の、浄化効率を向上できる浄化助剤および浄化方法を提供することを課題とする。
【課題を解決するための手段】
【０００７】
本発明は以下の［１］〜［４］の態様を有する。
［１］  非架橋型水溶性高分子を含有する、フェントン法による土壌浄化用の浄化助剤。
［２］  フェントン法による土壌浄化方法において、非架橋型水溶性高分子を土壌に添加することを特徴とするフェントン法による土壌浄化方法。
［３］  土壌に非架橋型水溶性高分子を添加して混合し、その後に該土壌に酸化剤を添加する、［２］に記載のフェントン法による土壌浄化方法。
［４］  土壌１ｍ３に対して、前記非架橋型水溶性高分子を０．１〜７ｋｇ添加する、［２］または［３］に記載のフェントン法による土壌浄化方法。
【発明の効果】
【０００８】
本発明によれば、フェントン法を用いて土壌を浄化する際の浄化効率を向上できる。
【発明を実施するための形態】
【０００９】
＜土壌＞
本発明で浄化対象となる土壌は、難分解性の有機物に汚染されたものが好適である。該有機物としては、例えば農薬、防腐剤、石油及びその留分に含まれる芳香族化合物、有機塩素化合物等が挙げられる。石油及びその留分に含まれる芳香族化合物としてはトルエン、ベンゼン等が挙げられる。有機塩素化合物としてはトリクロロエチレン（以下、ＴＣＥともいう。）、テトラクロロエチレン（別名：パークロロエチレン、以下ＰＣＥともいう。）などが挙げられる。
【００１０】
＜フェントン法＞
フェントン法はフェントン反応を利用した化学酸化法による土壌の浄化方法である。フェントン反応は酸化剤と触媒とが反応して、ヒドロキシラジカルを生成する反応である。フェントン反応によって生じるヒドロキシラジカルは酸化力が強く、汚染物質が有機塩素化合物だけでなくトルエン、ベンゼンや油系の化合物である土壌汚染にも適用可能である。
フェントン法は、汚染された土壌を原位置で浄化する方法に好適である。「原位置で浄化する方法」とは、地中の汚染土壌を掘削搬出せずにその場所で浄化する方法である。
【００１１】
［酸化剤］
フェントン法による土壌の浄化方法では、土壌に酸化剤を添加する。
酸化剤は、フェントン反応によりヒドロキシラジカルを生成可能なものであればよい。例えば、過酸化水素、過炭酸ナトリウム、過硫酸ナトリウム等が挙げられる。特に過酸化水素は最終的には水と酸素になるため環境的に好ましい。酸化剤は水溶液で添加することが好ましい。
酸化剤の水溶液において、酸化剤の濃度は特に制限はないが、１質量％以上３５質量％以下が好ましく、１質量％以上１０質量％以下がより好ましい。酸化剤の濃度が１質量％以上であると、土壌の浄化を効率的に行いやすい。１０質量％以下であると、急激な反応熱による土壌温度の上昇が抑制されやすい。土壌の温度が上昇すると、汚染物質の大気中への気散が生じる場合がある。
【００１２】
［触媒］
フェントン法による土壌の浄化方法では、土壌中で酸化剤と触媒とを反応させる。
触媒は、フェントン反応によりヒドロキシラジカルを生成可能なものであればよい。触媒として遷移金属イオンが好ましく、第一鉄イオンがより好ましい。
触媒となり得る遷移金属イオンが土壌中に元々含まれていればそれが触媒として作用する。必要に応じて触媒を土壌に供給してもよい。
土壌に触媒を供給する場合、遷移金属イオンを含む化合物を土壌に添加することが好ましい。第一鉄イオンを含む化合物としては、塩化第一鉄、硫酸第一鉄、硝酸第一鉄、硫酸第一鉄アンモニウム等が挙げられる。
【００１３】
＜土壌浄化用の浄化助剤＞
［非架橋型水溶性高分子］
本発明の土壌浄化用の浄化助剤（以下、単に浄化助剤ともいう。）は、非架橋型水溶性高分子を含有する。
ここでの水溶性とは、２５℃の水１００ｍＬに１ｇ添加して撹拌したときに溶解して透明になることを意味する。
また非架橋型水溶性高分子は水溶液中で架橋しておらず、濃度３０質量％の水溶液の、２５℃における粘度が５〜３０００ｍＰａ・ｓの範囲内であることが好ましい。該粘度が上記の範囲内であると土壌中の汚染物質の良好な分解率が得られやすい。該粘度は１０〜５００ｍＰａ・ｓがより好ましく、２０〜１５０ｍＰａが特に好ましい。
非架橋型水溶性高分子の粘度は、該非架橋型水溶性高分子の３０質量％水溶液を調製し、Ｂ型粘度計を用い、Ｎｏ．２ローター、６０ｒｐｍ、２５℃の条件にて測定して得られる値である。
【００１４】
非架橋型水溶性高分子は、非架橋性のモノマーの単独重合体または共重合体であることが好ましい。該モノマーの例としては、スチレン、アクリル酸、アクリル酸メチル、アクリル酸−ｎ−ブチル、アクリル酸イソブチル、メタクリル酸、メタクリル酸メチル、メタクリル酸−ｎ−ブチル、メタクリル酸イソブチル、マレイン酸、またはこれらの塩が挙げられる。
非架橋型水溶性高分子は、土壌中の汚染物質の分解率を高める効果や土壌の流動性を高める効果に優れる点で、カルボキシ基を有するモノマー単位を有することが好ましい。非架橋型水溶性高分子の全モノマー単位のうち、カルボキシ基を有するモノマー単位の割合が、５０モル％以上が好ましく、７０モル％以上がより好ましく、１００モル％が特に好ましい。
特にアクリル酸の単独重合体またはアクリル酸と１種以上のコモノマーとの共重合体、マレイン酸と１種以上のコモノマーとの共重合体が好ましい。これらは塩を形成していてもよい。
アクリル酸のコモノマーは、土壌中の汚染物質の分解率向上の点でマレイン酸（塩を形成していてもよい）を含むことが好ましい。具体的にはポリアクリル酸、アクリル酸／マレイン酸共重合体、またはそれらの塩が挙げられる。アクリル酸／マレイン酸共重合体またはその塩において、アクリル酸／マレイン酸のモル比率は、８０／２０〜２０／８０がより好ましく、６０／４０〜４０／６０が特に好ましい。
塩を形成している場合の対イオンとしてはアルカリ金属イオンが挙げられる。好ましくはナトリウムイオン、またはカリウムイオンである。
非架橋型水溶性高分子は１種を単独で使用してもよく、２つ以上を組み合わせもよい。
【００１５】
非架橋型水溶性高分子の重量平均分子量は、土壌の汚染物質の良好な分解効率が得られやすい点で２，０００〜１００，０００が好ましい。さらに土壌の流動性向上効果も充分に得られやすい点で３，０００〜６０，０００がより好ましい。３，５００〜１０，０００が特に好ましい。
【００１６】
（重量平均分子量の測定方法）
非架橋型水溶性高分子の重量平均分子量は、ゲルろ過クロマトグラフィー（ＧＰＣ）−示差屈折率検出装置（ＲＩ）システムにより、下記の条件で測定して得られる値である。
溶離液：０．１Ｍ  ＮａＮＯ３、流速：１ｃｍ３／ｍｉｎ、試料：０．０２〜１質量％（溶媒；０．１Ｍ  ＮａＮＯ３）、注入量：２０ｍｍ３の操作条件において、重量平均分子量を標準ポリアクリル酸ナトリウム（分子量：４１００、１６０００、１３００００、シグマ−アルドリッチ社製）を標準物質とし、ポリアクリル酸ナトリウム換算の数値として算出した値を重量平均分子量とする。
重量平均分子量の測定には、例えば、送液ポンプ：Ｓｈｏｄｅｘ  ＤＳ−４（昭和電工株式会社製）、デガッサー：ＥＲＣ３１１５（ＥＲＣ社製）、カラム：Ｓｈｏｄｅｘ  ＳＢ−８０６ＭＨＱ（昭和電工株式会社製）、示差屈折率検出器：Ｓｈｏｄｅｘ  ＲＩ−７１（昭和電工株式会社製）等を用いることができる。
【００１７】
［その他の成分］
浄化助剤は、本発明の効果を損なわない範囲で、非架橋型水溶性高分子以外の他の成分を含有してもよい。浄化助剤において、かかる他の成分は非架橋型水溶性高分子と混合されていてもよく、別体として備えてもよい。
その他の成分としては、溶媒、フェントン反応の触媒となる成分、キレート剤、ｐＨ調整剤等が挙げられる。
キレート剤は、フェントン反応の触媒となる土壌中の水酸化鉄などの金属イオンの析出防止に寄与する。キレート剤としては、洗浄剤に用いられる鉄イオンをキレート可能なキレート剤を用いることができる。具体的にはリン酸またはその塩等のリン系キレート剤；クエン酸、酒石酸、リンゴ酸、蓚酸、蟻酸、又はこれらの塩等の有機酸系のキレート剤；二ニトリロ三酢酸、ジエチレントリアミン五酢酸、エチレンジアミン四酢酸、メチルグリシン二酢酸、又はこれらの塩等のアミノカルボン酸系キレート剤；が挙げられる。
ｐＨ調整剤は、フェントン反応の促進や過剰な反応を抑えることに寄与する。ｐＨ調整剤としては、例えば、硫酸、塩酸、硝酸、スルファミン酸等の無機酸；酢酸、マレイン酸等の有機酸；硫酸水素ナトリウム、硫酸水素カリウム、リン酸水素二ナトリウム、リン酸水素二カリウム等の酸性塩；などが挙げられる。また、キレート剤として用いられるクエン酸、酒石酸、リンゴ酸、蓚酸、蟻酸などの有機酸もｐＨ調整剤として使用できる。
【００１８】
浄化助剤において、非架橋型水溶性高分子は水溶液であることが好ましい。該水溶液における非架橋型水溶性高分子の濃度は１０〜６０質量％が好ましく、２０〜４５質量％がより好ましい。該濃度が上記範囲の下限値以上であると、非架橋型水溶性高分子水溶液によって処理された土壌の増加が抑制できる。上限値以下であると、非架橋型水溶性高分子水溶液が適度の粘度を有し、土壌に添加する際の作業性が良好となる。
【００１９】
＜土壌の浄化方法＞
本発明の土壌の浄化方法はフェントン法を用いる方法であり、汚染された土壌を原位置で浄化する方法に好適である。
本発明の土壌の浄化方法では、浄化対象の土壌中において、非架橋型水溶性高分子の存在下で酸化剤と触媒との反応が生じるように、該土壌に非架橋型水溶性高分子を添加する。
具体的には、土壌に非架橋型水溶性高分子を添加して混合する工程と、その後に該土壌に酸化剤を添加する工程を有する方法が好ましい。
さらに浄化対象の土壌中の触媒量が不足している場合など、必要に応じて、土壌に触媒を供給する工程を設けてもよい。土壌への触媒の供給は、非架橋型水溶性高分子を添加する工程の前でもよく、非架橋型水溶性高分子と触媒を同時に添加してもよい。好ましくは、土壌に非架橋型水溶性高分子を添加して混合する工程の前に、該土壌に遷移金属イオンを含む化合物を添加する工程を設ける。または土壌に遷移金属イオンを含む化合物および非架橋型水溶性高分子を添加して混合する工程を設ける。
さらに非架橋型水溶性高分子の添加と同時または添加後に、キレート剤やｐＨ調整剤を土壌に供給してもよい。キレート剤またはｐＨ調整剤の添加は、酸化剤の添加前または添加と同時が好ましい。
【００２０】
原位置で浄化する方法において、非架橋型水溶性高分子を土壌に添加混合する方法としては、例えば、バケットミキシング工法、オーガ工法、高圧噴射攪拌工法を用いることができる。
例えば、オーガ工法で注入井戸を設置する際に、スクリュー先端部から非架橋型水溶性高分子水溶液を噴射しつつ堀り進めることによって、土壌に非架橋型水溶性高分子を添加し混合する。その後、スクリューを引き上げる際に、スクリュー先端部から酸化剤水溶液を噴射しつつ引き上げることにより、土壌に酸化剤を添加する。こうして非架橋型水溶性高分子の存在下で酸化剤と触媒とを反応させて、土壌中にヒドロキシラジカルを発生させることができる。
【００２１】
本発明の浄化方法によれば、土壌中の汚染物質の分解効率を向上させることができる。その理由としては、非架橋型水溶性高分子の存在下で酸化剤と触媒との反応を生じさせることにより、ヒドロキシラジカルが発生しない酸化剤の自己分解反応（例えば２Ｈ２Ｏ２→２Ｈ２Ｏ＋Ｏ２）が抑制され、ヒドロキシラジカルが効率良く発生するためと考えらえる。
また土壌に非架橋型水溶性高分子を添加して撹拌混合することによって、土壌の塊がほぐされて流動性が向上するという効果も得られる。流動性が向上すると攪拌時間が短縮される等の作業性が向上する。
さらに、非架橋型水溶性高分子を添加することで流動性が向上すると、低添加水量での施工が可能となり、その結果、発生土の削減に貢献し、施工性・経済性に優れた効果が期待できる。特に、シルト・粘性土等の細粒分を５０％以上含む透水性の低い粘性土壌（土質工学会基準ＪＳＦ  Ｍ  １１１−１９９０「土の工学的分類方法」に準ずる）に対してより顕著な効果が期待できる。
【００２２】
［触媒・酸化剤の量］
土壌中の触媒の量は、酸化剤からヒドロキシラジカルが発生する分解反応が生じる濃度であればよい。第一鉄イオンの場合を例に挙げて説明すると、土壌中の第一鉄イオン濃度が２ｐｐｍ〜５０００ｐｐｍ（質量基準、以下同様。）であることが好ましい。該分解反応が効率よく進む点で４ｐｐｍ〜３８００ｐｐｍがより好ましい。４ｐｐｍ以下の場合は第一鉄イオンを別途供給することが好ましい。土壌中の第一鉄イオン濃度の測定方法は後述する。
【００２３】
浄化対象の土壌に第一鉄イオンを供給するか否か、または供給する好ましい鉄イオンの量については、予めトリタビリティー試験を行い、浄化効果を確認した後に決定することが望ましい。トリタビリティー試験とは、実際の処理方法の条件の適否等を確認するために、事前に行う室内実験である。例えば、汚染物質が揮発性有機化合物の場合、浄化対象サイトの汚染土壌を採取し、予定している条件で浄化方法を実施し、所定時間経過した後に、有機化合物濃度をヘッドスペースガスクロマトグラフで分析する手法が挙げられる。評価項目としては処理終了時の有機化合物の分解率が挙げられ、これを勘案し第一鉄イオンの供給量を決定することができる。
酸化剤の添加量も、前記トリタビリティー試験と同様に勘案して決定することが好ましい。
【００２４】
［非架橋型水溶性高分子の添加量］
非架橋型水溶性高分子の添加量（純分）は、浄化対象となる土壌１ｍ３に対し、０．１ｋｇ〜７ｋｇが好ましい。該添加量が上記の範囲であると、非架橋型水溶性高分子の添加による汚染物質の分解効率向上効果が充分に得られやすい。また非架橋型水溶性高分子の添加量が多いほど土壌の流動性向上効果は高くなる。
汚染物質のより高い分解効率及び良好な作業性が得られやすい点から、土壌１ｍ３に対し、０．２ｋｇ〜６ｋｇがより好ましい。
［その他の成分の添加量］
キレート剤やｐＨ調整剤等のその他の成分（溶媒を除く）の添加量は、前記トリタビリティー試験と同様に勘案して決定することが好ましい。
【実施例】
【００２５】
以下、実施例により本発明を具体的に説明するが、本発明は以下の実施例により制限されるものではない。下記において含有量（濃度）は特に断りがない限り質量基準（純分）である。
＜浄化助剤＞
実施例において、浄化助剤として表１に示すポリアクリル酸ナトリウム（Ａ−１）〜（Ａ−３）、表２に示すアクリル酸／マレイン酸共重合体（Ａ−４）〜（Ａ−７）、ポリカルボン酸エーテルである（Ａ−８）、およびマレイン酸／アリルアルコールＥＯ付加体共重合体である（Ａ−９）を用いた。表には（Ａ−１）〜（Ａ−９）の重合体を、それぞれ３０質量％水溶液にしたときの粘度（２５℃）を記載する。
また（Ａ−１）〜（Ａ−９）の重合体を、それぞれ２５℃の水１００ｍＬに１ｇ添加して撹拌すると、いずれも溶解して透明になることを確認した。
【００２６】
＜実施例１〜１１＞
［汚染物質の分解率の測定］
（土壌サンプル）
有機物に汚染された土壌サンプルとして、下記組成の試料土（１）の１０ｇに、濃度１５０ｐｐｍのテトラクロロエチレン（ＰＣＥ）溶液（和光純薬工業社製、溶媒：水）１．５ｍＬを混合したものを用いた。
（試料土（１）の組成）
砂分５．３％、シルト分３４．７％、粘土分２４．５％、水分３５．５％。
含水比５５％、密度１６００ｋｇ／ｍ３、第一鉄イオン濃度１５０ｐｐｍ。
試料土の密度は、上記組成の土壌を攪拌機で７分間練ることでスラリーを作成し、空気が入らないように内容量４００ｍＬの容器に充填させて重量［Ａ］（単位：ｇ）を測定し、その値を４００（単位：ｍＬ）で除し、１０００倍して得られる密度［Ｂ］（［Ｂ］（単位：ｋｇ／ｍ３）＝｛［Ａ］／４００｝×１０００）である（以下、同様）。
【００２７】
試料土中の第一鉄イオン濃度は、環境省告示第１９号（「土壌含有量調査に係る測定方法を定める件」）に準じて作成した検液を、ＩＣＰ発光分析装置（パーキンエルマージャパン社製、製品名：ｏｐｔｉｍａ５３００ＤＶ）で測定することにより得た。
【００２８】
（土壌の浄化処理）
上記試料土（１）の１０ｇに、上記ＰＣＥ溶液１．５ｍＬ、および表１、２に示す浄化助剤を、表３に示す添加量（純分として）（土１ｍ３当たりの浄化助剤の質量）で加え、１分間攪拌した。撹拌はボルテックスミキサー（ＪＥＩＯ  ＴＥＣＨ社製、製品名：ＶＭ−９６Ｂ）を用い、回転数３０００ｒｐｍで行った。
次いで、過酸化水素水溶液（過酸化水素濃度１０質量％）を、過酸化水素が試料土に対して０．１質量％となるように加え、同様にして１分間攪拌した後、密閉状態にしたものを評価用サンプルとし、これを２５℃で静置した。
静置して４８時間後に評価用サンプルの気相中のＰＣＥ濃度を、ヘッドスペースガスクロマトグラフ（島津製作所社製。製品名：ＧＣ２０２５）を用いて下記の条件で測定し、ＰＣＥの分解率（単位：％）を算出することで、土壌がどの程度浄化されたかを確認した。結果を表３に記載する（以下、同様。）。
なおガスクロマトグラフ分析の前処理として、評価用サンプルを３５℃の恒温槽中で３０分静置し、土壌と気相のＰＣＥを平衡にさせた。
（ガスクロマトグラフ測定条件）
注入口温度：４０℃、検出器：水素炎イオン化検出器（ＦＩＤ）、
カラム：ＤＢ１−ＨＴ（アジレント・テクノロジー社製）、注入試料量：１．０ｍＬ、
カラム温度４０℃−３００℃、燃料ガス流量：Ｈ２ガス  ４０ｍＬ／分、
キャリヤーガス流量：Ｈｅガス  ３０ｍＬ／分、
助燃ガス流量：Ａｉｒ  ４００ｍＬ／分。
（汚染物質の分解率の算出方法）
上記の土壌の浄化処理において、浄化助剤及び過酸化水素水を添加しないほかは同様にして、浄化処理無しの土壌の評価用サンプルを調製し、気相中のＰＣＥ濃度（Ｃ１）を測定し、下記式により分解率（％）を求めた。
分解率（％）＝１００−（（Ｃ２／Ｃ１）×１００）
Ｃ１：浄化処理無しの土壌の評価用サンプルの気相中のＰＣＥ濃度。
Ｃ２：各例の評価用サンプル（土壌の浄化処理後）の気相中のＰＣＥ濃度。
【００２９】
［流動性の評価（フロー値の測定）］
下記組成の試料土（２）１１００ｇに対し、表１、２に示す浄化助剤を、表３に示す添加量で加え、攪拌機を用いて７分間混練りし、ソイルスラリーを得た。
ＪＩＳ  Ｒ  ５２０１（日本工業規格「セメントの物理試験方法」）に記載のフローテーブルおよびフローコーンを用いてフロー値の測定を行った。
すなわち、フローテーブル上の中央の位置に正しく置いたフローコーンにソイルスラリーを充填した。直ちにフローコーンを取り去った後、１５秒間に１５回の落下運動を与え、ソイルスラリーが広がった後の径を、径が最大となる方向と、これに直角な方向とで測定し、その平均値をフロー値（単位：ｍｍ）とした。フロー値が大きいほど流動性が高いことを示す。結果を表３に記載する（以下、同様。）
（試料土（２）の組成）
砂分１４．５％、シルト分３４．９％、粘土分２５．２％、水分２５．３％。
含水比３３．７％、密度１８６０ｋｇ／ｍ３。
【００３０】
＜比較例１＞
浄化助剤を添加しないほかは、実施例１と同様にして、汚染物質の分解率の測定およびフロー値の測定を行った。
＜比較例２＞
実施例２において、浄化助剤の代わりに、クエン酸三ナトリウム（分子量２５８）を土１ｍ３当たりの添加量が０．４ｋｇとなる量で添加した。
そのほかは、実施例２と同様にして、汚染物質の分解率の測定およびフロー値の測定を行った。
【００３１】
【表１】
2017056395.tif 000002
【００３２】
【表２】
2017056395.tif 000003
【００３３】
【表３】
2017056395.tif 000004
【００３４】
表３に示すように、浄化助剤を添加しない比較例１と比べて、浄化助剤を用いた実施例１〜１３は、過酸化水素の添加量が同じであるにも関わらず、汚染物質の分解率が向上した。また、実施例１〜１１ではフロー値が高くなり流動性も向上した。特に実施例２〜１０では分解率および流動性がいずれも大きく向上した。
一方、浄化助剤の代わりにクエン酸ナトリウムを添加した比較例２は、流動性はやや向上したものの、汚染物質の分解率が比較例１と同程度であった。